(57)【特許請求の範囲】
【請求項１】
ファクシミリ通信を行う通信手段と；
受信命令信号のオプション信号を送信したときに、オプション信号を送信したことを、ディジタル命令信号によって、相手機に通知する通知手段と；
を有することを特徴とするファクシミリ装置。
【請求項２】
ファクシミリ通信を行う通信手段と；
受信命令信号のサブアドレス信号、またはパスワード信号を送信したときに、それぞれの信号を送信したことを、ディジタル命令信号によって相手機に通知する通知手段と；
を有することを特徴とするファクシミリ装置。
【請求項３】
ファクシミリ通信を行う通信手段と；
オプション信号であるサブアドレス信号ＳＵＢ、またはパスワード信号ＰＷＤをディジタル命令信号ＤＣＳとともに送信したときに、それぞれの信号を送信したことを、ディジタル命令信号ＤＣＳによって相手機に通知する通知手段と；
を有することを特徴とするファクシミリ装置。
【請求項４】
請求項１〜３において、
ディジタル識別信号ＤＩＳのサブアドレス信号受信機能有無を示すＦＩＦのビット番号と同一番号の、ディジタル命令信号ＤＣＳのＦＩＦのビットによって、サブアドレス信号を送信したことを通知することを特徴とするファクシミリ装置。
【発明の詳細な説明】
【０００１】
【産業上の利用分野】
本発明は、ファクシミリの前手順におけるマルチフレームの送信に関する。
【０００２】
【従来の技術】
従来のファクシミリ通信において、例えばＤＩＳ信号、ＤＣＳ信号、ＤＴＣ信号を、それぞれマルチフレームで構成することにより、オプション信号用のフレームを設け、ここにサブアドレス信号、あるいはパスワード信号、あるいはセレクティブポーリング信号等のオプション信号を含ませて送信することが行われている。
【０００３】
【発明が解決しようとする課題】
しかしながら、従来のファクシミリ通信においては、例えばＤＩＳ信号、ＤＣＳ信号、ＤＴＣ信号が、それぞれマルチフレームで送信されても、その旨をＤＩＳ信号、ＤＣＳ信号、ＤＴＣ信号の中のＦＩＦ（ファクシミリ情報フィールド）に含ませて通知することはできなかった。
【０００４】
このため、例えば、送信機はサブアドレス信号（以下、ＳＵＢ信号という）を含んだＤＣＳ信号を送信した場合、相手受信機はＳＵＢ信号で指定した動作をしていると判断する。一方、受信機は、ＳＵＢ信号を受信できなくて、ＤＣＳ信号を受信できた場合、ＤＣＳ信号にＳＵＢ信号が送信されているか否かの情報は含まれていないので、受信機は、ＤＣＳ信号のみを正しく受信し、ＳＵＢ信号はないものと判断する。以上により、送信機と受信機の判断が狂ってしまい、誤動作してしまうという欠点があった。
【０００５】
また、例えば、送信機がＮＳＳ信号とＤＣＳ信号を送信し、これら２つの信号により、あるモードを決定している場合で、受信機がＤＣＳ信号のみしか受信できいない場合、送信機と受信機で判断するモードが狂ってしまい、誤動作してしまうという欠点があった。例えば、標準、ファインモードまでをＤＣＳ信号により決めていて、スーパーファインモードをＮＳＳ信号により決めているような場合、上記のケースにおいて、送信機と受信機で判断する線密度が異なり、画像がのびて記録されてしまう等のトラブルが発生する。
【０００６】
本発明は、オプション信号の受信漏れによる誤動作を有効に防止できるファクシミリ装置を提供することを目的とする。
【０００７】
【課題を解決するための手段】
本発明は、送信命令信号または受信命令信号のオプション信号を送信したときに、オプション信号を送信したことを、ディジタル送信命令信号またはディジタル命令信号によって、相手機に通知する。
【０００８】
本発明は、送信命令信号または受信命令信号のサブアドレス信号、またはパスワード信号、またはセレクティブポーリング信号を送信したときに、それぞれの信号を送信したことを、ディジタル送信命令信号またはディジタル命令信号によって相手機に通知する。
【０００９】
本発明は、受信命令信号の非標準装置設定信号を送信したときに、非標準装置設定信号を送信したことを、ディジタル命令信号によって相手機に通知する。
【００１０】
本発明は、受信命令信号の送信局識別信号を送信したときに、送信局識別信号を送信したことを、ディジタル命令信号によって相手機に通知する。
【００１１】
本発明は、初期識別信号の非標準装置信号または被呼局識別信号を送信したときに、それぞれの信号を送信したことを、ディジタル識別信号によって相手機に通知する。
【００１２】
本発明は、送信命令信号の非標準装置命令信号または発呼局識別信号を送信したときに、それぞれの信号を送信したことを、ディジタル送信命令信号によって相手機に通知する。
【００１３】
【実施例】
図１は、本発明の第１実施例を示すブロック図である。
【００１４】
ＮＣＵ（網制御装置）２は、電話網をデータ通信等に使用するために、その回線の端末に接続し、電話交換網の接続制御を行なったり、データ通信路への切換えを行なったり、ループの保持を行なうものである。また、ＮＣＵ２は、制御回路３６からの信号レベル（信号線３６ａ）が「０」であれば、電話回線２ａを電話機４側に接続し、信号レベルが「１」であれば、電話回線２ａをファクシミリ装置側に接続するものである。なお、通常状態では、電話回線２ａは電話機４側に接続されている。
【００１５】
ハイブリッド回路６は、送信系の信号と受信系の信号とを分離し、加算回路１６からの送信信号をＮＣＵ２経由で電話回線２ａに送出し、相手側からの信号をＮＣＵ２経由で受取り、信号線６ａ経由でＶ２９復調器２０およびＶ２１復調器１８に送るものである。
【００１６】
Ｖ２１変調器８は、公知のＣＣＩＴＴ勧告Ｖ２１に基づいた変調を行なう変調器であり、制御回路３６からの手順信号（信号線３６ｂ）を変調し、信号線８ａを通して加算回路１６に送出するものである。
【００１７】
読取回路１０は、送信原稿から主走査方向１ライン分の画像信号を順次読み取り、白、黒の２値を表す信号列を作成し、このデータを信号線１０ａから符号化回路１２に送るものであり、ＣＣＤ（電荷結合素子）等の撮像素子と光学系とで構成されている。ここで、信号線３６ｃに信号「０」が出力されている時には、標準モードでの読み取りを行い、信号「１」が出力されている時には、ファインモードでの読み取りを行い、信号「２」が出力されている時には、スーパーファインモードでの読み取りを行う。
【００１８】
符号化回路１２は、信号線１０ａに出力されている読取データを入力して、符号化（ＭＨ符号化あるいはＭＲ符号化）を行い、信号線１２ａより出力するものである。
【００１９】
Ｖ２７ｔｅｒ  またはＶ２９変調器１４は、信号線１２ａからの符号化データを入力し、公知のＣＣＩＴＴ勧告Ｖ２７ｔｅｒ  （差動位相変調）またはＶ２９（直交変調）に基づいた変調を行ない、この変調データを信号線１４ａを通して加算回路１６に出力する。
【００２０】
加算回路１６は、変調器８、１４の出力を加算する回路である。加算回路１６の出力は、ハイブリッド回路６に送られる。
【００２１】
Ｖ２１復調器１８は、公知のＣＣＩＴＴ勧告Ｖ２１に基づいた復調を行なうものである。この復調器１８は、信号線６ａによりハイブリッド回路６からの手順信号を入力し、Ｖ２１復調を行い、復調データを信号線１８ａを通して制御回路３６に送る。
【００２２】
Ｖ２７ｔｅｒ  またはＶ２９復調器２０は、公知のＣＣＩＴＴ勧告Ｖ２７ｔｅｒ  またはＶ２９に基づいた復調を行なうものである。この復調器２０は、ハイブリッド回路６からの変調画像信号を入力し、復調を行って復調データを信号線２０ａより復号化回路２２に送出する。
【００２３】
復号化回路２２は、信号線３６ｄに信号レベル「０」の信号が出力されている時には、信号線２０ａに出力されている情報を入力し、信号線３６ｄに信号レベル「１」の信号が出力されている時には、信号線２６ａに出力されている情報を入力し、復号化（ＭＨ復号化あるいはＭＲ復号化）したデータを信号線２２ａより符号化回路２４または記録回路２８に出力する。
【００２４】
符号化回路２４は、信号線２２ａに出力されている信号を入力して、Ｋ＝８のＭＲ符号化を行い、この符号化データを信号線２４ａよりメモリ回路２６に出力する。
【００２５】
メモリ回路２６は、信号線３６ｅの制御に従い、信号線２４ａに出力されている符号化データを格納するとともに、この格納したデータを信号線２６ａより復号化回路２２に出力する。
【００２６】
記録回路２８は、信号線３６ｆに信号「０」が出力されている時には標準モード、信号「１」が出力されている時にはファインモード、信号「２」が出力されている時にはスーパーファインモードで、信号線２２ａに出力されているデータを入力し、順次１ラインずつ記録を行なう。
【００２７】
メモリ格納選択ボタン３０は、受信機側でメモリ格納をすることを送信機側から指定する時に使用するボタンである。このボタン３０が押下されると、信号線３０ａに押下パルスを発生する。
【００２８】
メモリ格納指定ランプ３２は、送信機側から受信機側でメモリ格納することを指定している時に点灯するランプである。ランプ３２は、信号線３６ｇにクリアパルスが発生すると消灯し、以後、信号線３０ａに押下パルスが発生する毎に、点灯→消灯→点灯を繰り返す。そして、消灯している時には、信号線３２ａに信号レベル「０」の信号を出力し、点灯している時には、信号線３２ａに信号レベル「１」の信号を出力する。
【００２９】
メモリ情報出力指示ボタン３４は、メモリ回路２６に格納されている情報を出力する時に使用するボタンであり、このボタン３４が押下されると、信号線３４ａに押下パルスを発生する。
【００３０】
制御回路３６は、この第１実施例において、受信命令信号にサブアドレス信号あるいはパスワード信号が含まれるか否かをディジタル命令信号（ＤＣＳ信号）で相手機に通知する制御を行なう。そして、受信機は、サブアドレス信号あるいはパスワード信号が含まれている旨のＤＣＳ信号を受信し、指定されたサブアドレス信号あるいはパスワード信号を受信していない場合、再度、ＤＩＳグループの信号を送出後、レスポンス受信を行なう。
【００３１】
次に、図２〜図６は、本実施例における制御回路３６の動作を示すフローチャートである。
【００３２】
まず、Ｓ４２では、信号線３６ａに信号レベル「０」の信号を出力し、ＣＭＬをオフする。次に、Ｓ４４では、信号線３６ｇにクリアパルスを発生し、メモリ格納指定ランプ３２をクリアする。本実施例では、このランプ３２が点灯している場合は、サブアドレス通信を指定する。
【００３３】
Ｓ４６では、信号線３４ａの情報を入力し、メモリ回路２６に格納されている情報の出力が選択されたか否かを判断し、出力が選択されるとＳ４８に進み、出力が選択されていないとＳ５０に進む。
【００３４】
Ｓ４８は、信号線３６ｄに信号レベル「１」の信号を出力し、信号線３６ｅを介してメモリ回路２６に格納されている情報を出力する。記録終了後、信号線３６ｄに信号レベル「０」の信号を出力する。
【００３５】
Ｓ５０では、受信が選択されているか否かを判断し、受信が選択されるとＳ６０に進み、受信が選択されていないとＳ５２に進む。
【００３６】
Ｓ５２では、送信が選択されているか否かを判断し、送信が選択されるとＳ１１６に進み、送信が選択されていないとＳ５４に進み、その他の処理を行う。
【００３７】
Ｓ６０では、信号線３６ａに信号レベル「１」の信号を出力してＣＭＬをオンし、Ｓ６２では、タイマＴ１に３５秒をセットする。
【００３８】
Ｓ６４では、ＮＳＦ／ＣＳＩ／ＤＩＳ信号の送信を行う。ここで、ＤＩＳのＦＩＦの４７ビット目（セレクティブポーリング受信機能あり）、４９ビット目（サブアドレス受信機能あり）、５０ビット目（パスワード受信機能あり）は１とする。
【００３９】
Ｓ６６では、手動着信時には４．５秒、自動着信時には３秒をＴ４タイマにセットする。そして、Ｓ６８では、ＰＷＤ／ＳＵＢ／ＮＳＳ／ＴＳＩ／ＤＣＳ信号を受信したか否かを判断し、受信しているとＳ７２に進み、受信していないとＳ７０に進む。
【００４０】
Ｓ７０では、Ｔ４タイマがタイムオーバーしたか否かを判断し、Ｔ４タイマがタイムオーバーするとＳ７４に進み、Ｔ４タイマがタイムオーバーしていないとＳ６８に進む。
【００４１】
Ｓ７２では、ＤＣＳ信号を受信したか否かを判断し、ＤＣＳ信号を受信すると、Ｓ７８に進み、ＤＣＳ信号を受信していないとＳ７４に進む。
【００４２】
Ｓ７４では、Ｔ１タイマがタイムオーバーしたか否かを判断し、Ｔ１タイマがタイムオーバーすると、Ｓ７６に進み、Ｔ１タイマがタイムオーバーしていないとＳ６４に進む。
【００４３】
Ｓ７６では、信号線３６ａに信号レベル「０」の信号を出力してＣＭＬをオフする。そして、Ｓ４６に戻る。
【００４４】
Ｓ７８では、ＤＣＳ信号のＦＩＦの４９ビット目、あるいは５０ビット目は１であるか否かを判断し、ＹＥＳの時にはＳ８０に進み、ＮＯの時にはＳ９８に進む。
【００４５】
Ｓ８０では、ＤＣＳ信号のＦＩＦの４９ビット目は１で、かつ５０ビット目は０であるか、すなわちサブアドレスに受信を指定し、パスワード受信を指定していないかを判断し、ＹＥＳの場合には、Ｓ８２に進み、ＮＯの場合には、Ｓ９２に進む。
【００４６】
ＣＣＩＴＴの加速勧告化では、ＤＣＳ信号のＦＩＦの４７、４９、５０ビット目は、すべて０にセットすることが決められている。しかし、本実施例では、ＤＣＳ信号のＦＩＦの４９ビット目が１の時には、ＳＵＢ信号もマルチフレームとして送信していることを表わし、０の時には、ＳＵＢ信号をマルチフレームとして送信しないことを表わす。また、ＤＣＳ信号のＦＩＦの５０ビット目が１の時には、ＰＷＤ信号もマルチフレームとして送信していることを表わし、０の時には、ＰＷＤ信号をマルチフレームとして送信しないことを表わす。以上の約束とする。
【００４７】
Ｓ８２では、ＳＵＢ信号を受信しているか否かを判断し、ＳＵＢ信号を受信している時には、Ｓ８４以降に進んでメモリ受信を行ない、ＳＵＢ信号を受信していない時には、ＳＵＢ信号の受信に失敗したと判断し、Ｓ７４に戻る。
【００４８】
Ｓ８４では、残りの前手順を行い、Ｓ８６では、信号線３６ｅを介して受信情報をメモリ回路２６に格納する。そして、Ｓ８８では、後手順を行い、Ｓ９０では、信号線３６ａに信号レベル「０」の信号を出力してＣＭＬをオフし、Ｓ４６に戻る。
【００４９】
また、Ｓ９２では、ＤＣＳ信号のＦＩＦの４９ビット目は０で、かつ５０ビット目は１か、すなわちサブアドレス受信の指定はなく、パスワード受信の指定があるか否かを判断し、ＹＥＳの時にはＳ９４に進み、ＮＯの時にはＳ１１２に進む。
【００５０】
Ｓ９４では、ＰＷＤ信号を受信したか否かを判断し、ＰＷＤ信号を受信している時にはＳ９６に進み、ＰＷ信号を受信していない時にはＰＷＤ信号の受信に失敗したと判断し、Ｓ７４に戻る。
【００５１】
Ｓ９６では、ＰＷＤ信号と受信機にセットされているパスワードが一致したか否かを判断し、一致している時にはＳ９８に進み、一致していない時にはＳ１０６に進む。
【００５２】
Ｓ９８では、残りの前手順を行い、Ｓ１００では、画信号の受信および記録を行う。そして、Ｓ１０２では、後手順を行い、Ｓ１０４では、信号線３６ａに信号レベル「０」の信号を出力してＣＭＬをオフし、Ｓ４６に戻る。
【００５３】
また、Ｓ１０６は、残りの前手順を行う。ここで、パスワードが一致しないので通信を中断する旨を通知する。そして、Ｓ１０８では、信号線３６ａに信号レベル「０」の信号を出力してＣＭＬをオフし、Ｓ１１０では、パスワードが一致しなかったため通信を中断した旨を通信結果レポートに記録する。
【００５４】
Ｓ１１２では、ＰＷＤ信号を受信しているか否かを判断し、ＰＷＤ信号を受信しているとＳ１１４に進み、ＰＷＤ信号を受信していないと、ＰＷＤ信号の受信に失敗したと判断し、Ｓ７４に戻る。
【００５５】
Ｓ１１４では、ＰＷＤ信号と受信機に設定してあるパスワード信号とが一致しているか否かを判断し、一致しているとＳ８２に進み、一致していないとＳ１０６に進む。
【００５６】
Ｓ１１６では、信号線３６ａに信号レベル「１」の信号を出力してＣＭＬをオンし、Ｓ１１８では、タイマＴ１に３５秒をセットする。
【００５７】
Ｓ１２０では、ＮＳＦ／ＣＳＩ／ＤＩＳ信号を受信したか否かを判断し、ＮＳＦ／ＣＳＩ／ＤＩＳ信号を受信すると、Ｓ１２６に進み、ＮＳＦ／ＣＳＩ／ＤＩＳ信号を受信していないとＳ１２２に進む。
【００５８】
Ｓ１２２では、タイマＴ１がタイムオーバーしたか否かを判断し、タイマＴ１がタイムオーバーしていると、Ｓ１２４に進み、タイマＴ１がタイムオーバーしていないと、Ｓ１２０に戻る。
【００５９】
Ｓ１２４では、信号線３６ａに信号レベル「０」の信号を出力してＣＭＬをオフし、Ｓ４６に戻る。
【００６０】
Ｓ１２６では、図示しない操作部からパスワード通信が選択されているか否かを判断し、パスワード通信が選択されるとＳ１２８に進み、パスワード通信が選択されていないとＳ１３８に進む。
【００６１】
Ｓ１２８では、ＤＩＳ信号のＦＩＦの５０ビット目は１か、すなわちパスワード受信機能を有しているか否かを判断し、ＹＥＳの時にはＳ１３６に進み、ＮＯの時にはＳ１３０に進む。
【００６２】
Ｓ１３０では、残りの前手順を行う。ここで、パスワード通信ができない旨を通知する。Ｓ１３２では、信号線３６ａに信号レベル「０」の信号を出力してＣＭＬをオフする。そして、Ｓ１３４では、パスワード通信ができない旨を通信結果レポートに記録し、Ｓ４６に戻る。
【００６３】
Ｓ１３６では、ＤＣＳ信号のＦＩＦの５０ビット目を１とし、ＰＷＤ信号を送出することを受信機に通知し、かつ、ＰＷＤ信号を送出する設定とする。
【００６４】
Ｓ１３８では、サブアドレス通信が選択されているか、すなわち具体的にはランプ３２が点灯しているか否かを判断する。ＹＥＳの時にはＳ１４０に進み、ＮＯの時にはＳ１５０に進む。
【００６５】
Ｓ１４０では、ＤＩＳ信号のＦＩＦの４９ビットは１であるか否か、すなわち、相手受信機はサブアドレス受信機能を有しているか否かを判断し、ＹＥＳの時にはＳ１４８に進み、ＮＯの時にはＳ１４２に進む。
【００６６】
Ｓ１４２では、残りの前手順を行う。ここで、サブアドレス通信ができない旨を通知する。そして、Ｓ１４４では、信号線３６ａに信号レベル「０」の信号を出力してＣＭＬをオフし、Ｓ１４６では、サブアドレス通信ができない旨を通信結果レポートに記録し、Ｓ４６に戻る。
【００６７】
また、Ｓ１４８では、ＤＣＳ信号の４９ビット目を１として、ＳＵＢ信号を送出することを受信機に通知し、かつ、ＳＵＢ信号を送出する設定とする。そして、Ｓ１５０では、Ｓ１３６、Ｓ１４８に基づき、ＰＷＤ／ＳＵＢ／ＮＳＳ／ＴＳＩ／ＤＣＳ信号の送信を行なう。さらに、Ｓ１５２では、残りの前手順を行い、Ｓ１５４では、画信号の読み取り、送信を行う。この後、Ｓ１５６では、後手順を行い、Ｓ１５８では、信号線３６ａに信号レベル「０」の信号を出力してＣＭＬをオフし、Ｓ４６に戻る。
【００６８】
なお、以上の第１実施例では、受信命令信号としてＰＷＤ、ＳＵＢ信号が送出され、この時、ＤＣＳ信号のＦＩＦにその旨を通知することを考えた。しかし、本発明の第２実施例として、送信命令信号にＰＷＤ、ＳＥＰ信号が送出され、この時、ＤＴＣ信号のＦＩＦにより、これらの信号が送出していることを通知してもよい。ここでは、ＰＷＤ信号の有無は、ＤＴＣ信号のＦＩＦの６５ビット目にアサインし、ＳＥＰ信号の有無はＤＴＣ信号のＦＩＦの６６ビット目にアサインする。
【００６９】
また、本発明の第３実施例として、受信命令信号に非標準装置設定（ＮＳＳ）信号が含まれているか否かをディジタル命令信号（ＤＣＳ）の例えばＦＩＦの６７ビット目で、相手機に通知してもよい。
【００７０】
例えば、ＤＣＳ信号で、標準、ファインモードの指定し、ＮＳＳ信号でスーパーファインモードの指定をする時に有効となる。
【００７１】
図７は、この場合の制御のうち、上記第１実施例と異なる部分を示すフローチャートである。
【００７２】
まず、Ｓ１６０は、上記Ｓ７２のＹＥＳを表わしている。そして、Ｓ１６２では、ＤＣＳ信号のＦＩＦの６７ビット目は１か、すなわちＮＳＳ信号も送出されているか否かを判断し、ＹＥＳの時にはＳ１６４に進み、ＮＯの時にはＳ１６８（上記Ｓ７８）に進む。
【００７３】
Ｓ１６４では、ＮＳＳ信号を受信したか否かを判断し、ＮＳＳ信号を受信しているとＳ１６８（上記Ｓ７８）に進み、ＮＳＳ信号を受信していないとＳ１６６（上記Ｓ７４）に進む。
【００７４】
また、Ｓ１７０は、上記Ｓ１２０のＹＥＳを表わしている。そして、Ｓ１７２では、ＮＳＦ信号を受信したか否かを判断し、ＮＳＦ信号を受信していれば、Ｓ１７４に進み、ＮＳＦ信号を受信していなければ、Ｓ１７８（上記Ｓ１２６）に進む。
【００７５】
Ｓ１７４では、ＮＳＳ信号を送信するか否かを判断し、ＮＳＳ信号を送信する時には、Ｓ１７６に進み、ＮＳＳ信号を送信しない時には、Ｓ１７８（上記Ｓ１２６）に進む。
【００７６】
Ｓ１７６では、ＤＣＳ信号のＦＩＦの６７ビット目を１とし、相手受信機にＮＳＳ信号を送出することを指定し、かつＮＳＳ信号を送出する設定とする。
【００７７】
また、本発明の第４実施例として、受信命令信号に、送信局識別（ＴＳＩ）信号が含まれるか否かをディジタル命令信号（ＤＣＳ）の例えばＦＩＦの６８ビット目で相手機に通知してもよい。なお、この場合の動作は、上記図７で示した第３実施例とほぼ同一であるので、説明は省略する。
【００７８】
また、上記第３、第４実施例について、初期識別信号を適用し、非標準装置（ＮＳＦ）信号、あるいは被呼局識別信号（ＣＳＩ）が含まれるか否かを、ディジタル識別信号（ＤＩＳ）で相手機に通知してもよい。例えばＮＳＦの有無はＤＩＳのＦＩＦの６７ビット目、ＣＳＩの有無はＤＩＳのＦＩＦの６８ビット目を用いるものとする。
また、上記第３、第４実施例について、送信命令信号を適用し、非標準装置命令（ＮＳＣ）信号、あるいは発呼局識別（ＣＩＧ）信号が含まれるか否かを、ディジタル送信命令（ＤＴＣ）信号で相手機に通知してもよい。例えば、ＮＳＣの有無はＤＴＣのＦＩＦの６７ビット目、ＣＩＧの有無はＤＴＣのＦＩＦの６８ビット目を用いるものとする。
【００７９】
【発明の効果】
以上説明したように、本発明によれば、例えばＤＣＳ信号、ＤＩＳ信号、ＤＴＣ信号等がそれぞれマルチフレーム構成となっている場合、その旨をＤＣＳ信号、ＤＩＳ信号、ＤＴＣ信号の中のＦＩＦ（ファクシミリ情報フィールド）等に含ませて相手機に通知することが可能となり、ＤＣＳ信号、ＤＩＳ信号、ＤＴＣ信号等が、それぞれマルチフレームで送信されて、これらの信号の受信機側でマルチフレームの一部が受信されない場合、これを正しく認識することが可能になり、これらの信号の送信機側と受信機側で判断が異なることがなくなり、誤動作をなくすことができる効果がある。
【図面の簡単な説明】
【図１】本発明の実施例におけるファクシミリ装置の構成を示すブロック図である。
【図２】本発明の第１実施例の動作を示すフローチャートである。
【図３】上記第１実施例の動作を示すフローチャートである。
【図４】上記第１実施例の動作を示すフローチャートである。
【図５】上記第１実施例の動作を示すフローチャートである。
【図６】上記第１実施例の動作を示すフローチャートである。
【図７】本発明の第２実施例の動作を示すフローチャートである。
【符号の説明】
２…ＮＣＵ、
４…電話機、
６…ハイブリッド回路、
８、１４…変調器、
１０…読取回路、
１２、２４…符号化回路、
１６…加算回路、
１８、２０…復調器、
２２…復号化回路、
２６…メモリ回路、
２８…記録回路、
３０…メモリ格納選択ボタン、
３２…メモリ格納指定ランプ、
３４…メモリ情報出力指示ボタン、
３６…制御回路。
【図１】
0003554015.tif 000002
【図２】
0003554015.tif 000003
【図３】
0003554015.tif 000004
【図４】
0003554015.tif 000005
【図５】
0003554015.tif 000006
【図６】
0003554015.tif 000007
【図７】
0003554015.tif 000008